(57)【要約】【課題】印刷装置でジアゾ風印刷を行う際の利便性の向上を図る。【解決手段】印刷画像データ生成部８２は、印刷対象の画像データがモノクロ画像データであってジアゾ風印刷の実行指示を受けている場合において、給紙部２がジアゾ風用紙を保持している場合、モノクロ画像データにおける画像部分をジアゾ色に変更したドロップデータを生成する。印刷対象の画像データがモノクロ画像データであってジアゾ風印刷の実行指示を受けている場合において、給紙部２がジアゾ風用紙を保持していない場合、印刷画像データ生成部８２は、モノクロ画像データにおける画像部分をジアゾ色に変更するとともにジアゾ風の下地を付与したドロップデータを生成する。【選択図】図３
2015226307.tif 000002
【特許請求の範囲】
【請求項１】
白地用紙を含む少なくとも１種類の用紙を保持し、用紙に色材を付与してジアゾ色で印刷可能な印刷装置における印刷に用いられる形式の印刷画像データを生成する画像処理装置であって、
印刷対象の画像データに基づき前記印刷装置における印刷に用いられる形式の印刷画像データを生成する印刷画像データ生成部を備え、
前記印刷画像データ生成部は、
前記印刷対象の画像データがモノクロ画像データであってジアゾ風印刷の実行指示を受けている場合において、前記印刷装置がジアゾ風用紙を保持している場合は、モノクロ画像データにおける画像部分をジアゾ色に変更した印刷画像データを生成し、前記印刷装置がジアゾ風用紙を保持していない場合は、モノクロ画像データにおける画像部分をジアゾ色に変更するとともにジアゾ風の下地を付与した印刷画像データを生成することを特徴とする画像処理装置。
【請求項２】
前記印刷装置は、シアンを含む複数色の色材を用いてジアゾ色を印刷するものであり、
前記印刷画像データ生成部は、前記印刷対象の画像データがモノクロ画像データであり、ジアゾ風印刷の実行指示を受けており、前記印刷装置がジアゾ風用紙を保持していない場合において、前記ジアゾ風の下地の印刷にシアンの色材のみを用いる印刷画像データを生成することを特徴とする請求項１に記載の画像処理装置。
【発明の詳細な説明】
【技術分野】
【０００１】
本発明は、印刷装置における印刷に用いられる印刷画像データを生成する画像処理装置に関する。
【背景技術】
【０００２】
ジアゾニウム塩の感光性とカップリング反応性を利用して画像形成を行うジアゾ式複写機が知られている（例えば、特許文献１参照）。ジアゾ式複写機による印刷物は青色に発色する。このため、ジアゾ式複写機によるコピーは、青焼きと呼ばれる。
【０００３】
ところで、ジアゾ式複写機以外の、例えばインクジェット印刷装置において、ジアゾ式複写機による青焼き風（ジアゾ風）の印刷物が得られるような印刷を行うことがある。このような印刷をジアゾ風印刷と呼ぶ。
【０００４】
ジアゾ風印刷の方法として、モノクロ画像データに基づき専用のジアゾ風用紙に印刷する方法がある。この場合、モノクロ画像データにおけるモノクロの画像部分はジアゾ色に色付けられる。ジアゾ風用紙は、地色がジアゾ色の用紙である。ジアゾ色は、青焼きの色を再現した色である。
【先行技術文献】
【特許文献】
【０００５】
【特許文献１】特開２０００−２２１６５２号公報
【発明の概要】
【発明が解決しようとする課題】
【０００６】
上述した方法でジアゾ風印刷を行う印刷装置では、ユーザが、専用のジアゾ風用紙を事前に準備する必要があり、利便性が不足していた。
【０００７】
本発明は上記に鑑みてなされたもので、印刷装置でジアゾ風印刷を行う際の利便性を向上できる画像処理装置を提供することを目的とする。
【課題を解決するための手段】
【０００８】
上記目的を達成するため、本発明に係る画像処理装置の第１の特徴は、白地用紙を含む少なくとも１種類の用紙を保持し、用紙に色材を付与してジアゾ色で印刷可能な印刷装置における印刷に用いられる形式の印刷画像データを生成する画像処理装置であって、印刷対象の画像データに基づき前記印刷装置における印刷に用いられる形式の印刷画像データを生成する印刷画像データ生成部を備え、前記印刷画像データ生成部は、前記印刷対象の画像データがモノクロ画像データであってジアゾ風印刷の実行指示を受けている場合において、前記印刷装置がジアゾ風用紙を保持している場合は、モノクロ画像データにおける画像部分をジアゾ色に変更した印刷画像データを生成し、前記印刷装置がジアゾ風用紙を保持していない場合は、モノクロ画像データにおける画像部分をジアゾ色に変更するとともにジアゾ風の下地を付与した印刷画像データを生成することにある。
【０００９】
本発明に係る画像処理装置の第２の特徴は、前記印刷装置は、シアンを含む複数色の色材を用いてジアゾ色を印刷するものであり、前記印刷画像データ生成部は、前記印刷対象の画像データがモノクロ画像データであり、ジアゾ風印刷の実行指示を受けており、前記印刷装置がジアゾ風用紙を保持していない場合において、前記ジアゾ風の下地の印刷にシアンの色材のみを用いる印刷画像データを生成することにある。
【発明の効果】
【００１０】
本発明に係る画像処理装置の第１の特徴によれば、印刷画像データ生成部は、印刷対象の画像データがモノクロ画像データであってジアゾ風印刷の実行指示を受けている場合において、印刷装置がジアゾ風用紙を保持している場合、モノクロ画像データにおける画像部分をジアゾ色に変更した印刷画像データを生成する。印刷装置がジアゾ風用紙を保持していない場合は、印刷画像データ生成部は、モノクロ画像データにおける画像部分をジアゾ色に変更するとともにジアゾ風の下地を付与した印刷画像データを生成する。これにより、印刷装置がジアゾ風用紙を保持していない場合でも、自動的に白地用紙にジアゾ風印刷することが可能になるため、必ずしもジアゾ風用紙を準備しなくてもよい。したがって、ジアゾ風印刷を行う際の利便性を向上できる。
【００１１】
本発明に係る画像処理装置の第２の特徴によれば、印刷画像データ生成部は、印刷対象の画像データがモノクロ画像データであり、ジアゾ風印刷の実行指示を受けており、印刷装置がジアゾ風用紙を保持していない場合において、ジアゾ風の下地の印刷にシアンの色材のみを用いる印刷画像データを生成する。これにより、下地の印刷にシアン以外の色材を使用しないことで、色材の消費量を抑制できる。
【図面の簡単な説明】
【００１２】
【図１】実施の形態に係るインクジェット印刷装置の概略構成図である。
【図２】実施の形態に係るインクジェット印刷装置の制御ブロック図である。
【図３】画像処理部の構成を示すブロック図である。
【図４】デフォルトのガンマ補正テーブルにおける入出力特性を示す図である。
【図５】ジアゾ色付け用のガンマ補正テーブルにおける入出力特性を示す図である。
【図６】ジアゾ色付け用のガンマ補正による色付きの説明図である。
【図７】ジアゾ風印刷処理のフローチャートである。
【図８】ジアゾ風印刷処理のフローチャートである。
【発明を実施するための形態】
【００１３】
以下、本発明の実施形態について、図面を参照して説明する。各図面を通じて同一もしくは同等の部位や構成要素には、同一もしくは同等の符号を付している。ただし、図面は模式的なものであり、現実のものとは異なることに留意すべきである。また、図面相互間においても互いの寸法の関係や比率が異なる部分が含まれていることはもちろんである。
【００１４】
また、以下に示す実施形態は、この発明の技術的思想を具体化するための装置等を例示するものであって、この発明の技術的思想は、各構成部品の材質、形状、構造、配置等を下記のものに特定するものでない。この発明の技術的思想は、特許請求の範囲において、種々の変更を加えることができる。
【００１５】
図１は、本発明の実施の形態に係る画像処理装置が設けられたインクジェット印刷装置の概略構成図である。図２は、図１に示すインクジェット印刷装置の制御ブロック図である。図３は、画像処理部の構成を示すブロック図である。以下の説明において、図１の紙面に直交する方向を前後方向とし、紙面表方向を前方とする。また、図１における紙面の上下左右を上下左右方向とする。
【００１６】
図１において太線で示す経路が、印刷媒体である用紙が搬送される搬送経路である。搬送経路のうち、実線で示す経路が通常経路ＲＣ、一点鎖線で示す経路が反転経路ＲＲ、破線で示す経路が排紙経路ＲＤ、二点鎖線で示す経路が給紙経路ＲＳである。以下の説明における上流、下流は、搬送経路における上流、下流を意味する。
【００１７】
図１、図２に示すように、本実施の形態に係るインクジェット印刷装置１は、給紙部２と、搬送印刷部３と、上面搬送部４と、排紙部５と、反転部６と、画像読取部７と、記憶部８と、操作パネル部９と、制御部１０と、各部を収納または保持する筐体１１とを備える。
【００１８】
給紙部２は、地色が白である白地用紙を含む少なくとも１種類の用紙を保持し、保持している用紙Ｐを給紙する。給紙部２は、搬送経路の最も上流側に配置されている。給紙部２は、外部給紙台２１と、外部給紙ローラ２２と、複数の内部給紙台２３と、複数の内部給紙ローラ２４と、複数対の縦搬送ローラ２５と、レジストローラ２６とを備える。
【００１９】
外部給紙台２１は、印刷に用いられる用紙Ｐが積載されるものである。外部給紙台２１は、一部が筐体１１の外部に露出して設置されている。
【００２０】
外部給紙ローラ２２は、外部給紙台２１から用紙Ｐを１枚ずつ取り出し、給紙経路ＲＳに沿ってレジストローラ２６へ向けて搬送する。外部給紙ローラ２２は、図示しないモータにより駆動される。
【００２１】
内部給紙台２３は、印刷に用いられる用紙Ｐが積載されるものである。内部給紙台２３は、筐体１１の内部に配置されている。
【００２２】
内部給紙ローラ２４は、内部給紙台２３から用紙Ｐを１枚ずつ取り出して給紙経路ＲＳへと送り出す。内部給紙ローラ２４は、図示しないモータにより駆動される。
【００２３】
縦搬送ローラ２５は、内部給紙台２３から取り出された用紙Ｐをレジストローラ２６へ向けて搬送する。縦搬送ローラ２５は、給紙経路ＲＳに沿って配置されている。縦搬送ローラ２５は、図示しないモータにより駆動される。
【００２４】
レジストローラ２６は、外部給紙台２１、内部給紙台２３、反転部６から搬送されてきた用紙Ｐを一旦止めた後、搬送印刷部３へ搬送する。レジストローラ２６は、給紙経路ＲＳと反転経路ＲＲとの合流地点の近傍の通常経路ＲＣ上に配置されている。レジストローラ２６は、図示しないモータにより駆動される。
【００２５】
搬送印刷部３は、給紙部２により給紙された用紙Ｐを搬送しつつ、用紙Ｐに画像を印刷する。搬送印刷部３は、ベルト搬送部３１と、印刷部３２とを備える。
【００２６】
ベルト搬送部３１は、レジストローラ２６から搬送されてきた用紙Ｐをベルト上に吸着保持して搬送する。ベルト搬送部３１は、図示しないモータにより駆動される。
【００２７】
印刷部３２は、用紙Ｐにインク（請求項の色材に相当）を付与して印刷を行う。印刷部３２は、インクジェットヘッド３６Ａ，３６Ｂと、インクカートリッジ装着部３７Ａ，３７Ｂと、インクカートリッジ３８Ｃ，３８Ｍとを備える。なお、インクジェットヘッド３６Ａ，３６Ｂ、インクカートリッジ装着部３７Ａ，３７Ｂ、インクカートリッジ３８Ｃ，３８Ｍの符号におけるアルファベットの添え字を省略して総括的に表記することがある。
【００２８】
インクジェットヘッド３６Ａ，３６Ｂは、それぞれインクカートリッジ装着部３７Ａ，３７Ｂに装着されたインクカートリッジ３８から供給されるインクを吐出する。インクジェットヘッド３６は、用紙Ｐの搬送方向と直交する方向（前後方向）に沿って配置された複数のノズルを有し、ノズルからインクを吐出する。インクジェットヘッド３６では、１つのノズルから１画素に対して吐出するインクの液滴数（ドロップ数）を変えることができ、ドロップ数により濃度を表現する階調印刷が行われる。インクジェットヘッド３６には、図示しないインク経路を介してインクカートリッジ３８からインクが供給されるようになっている。インクジェットヘッド３６Ａ，３６Ｂは、ベルト搬送部３１の上方において、用紙Ｐの搬送方向（左右方向）に沿って並列配置されている。
【００２９】
インクカートリッジ装着部３７は、インクカートリッジ３８が装着されるものである。インクカートリッジ装着部３７は、インクカートリッジ３８が着脱可能に構成されている。
【００３０】
インクカートリッジ３８は、印刷に用いられるインクを収容している。インクカートリッジ３８Ｃ，３８Ｍは、それぞれシアン（Ｃ）、マゼンタ（Ｍ）のインクを収容している。インクカートリッジ３８は、インクカートリッジ装着部３７に着脱可能になっている。
【００３１】
ここで、インクジェット印刷装置１は、製造時においては、インクカートリッジ装着部３７Ａ，３７Ｂにインクカートリッジ３８Ｋ，３８Ｒがそれぞれ装着されていたものである。インクカートリッジ３８Ｋ，３８Ｒは、それぞれブラック（Ｋ）、レッド（Ｒ）のインクを収容しているものである。すなわち、インクジェット印刷装置１は、ブラックインクとレッドインクとによる疑似カラー印刷が可能なＫＲ２色機として製造されたものである。
【００３２】
製造時に装着されていたインクカートリッジ３８Ｋ，３８Ｒがインクカートリッジ３８Ｃ，３８Ｍに交換されることで、インクジェット印刷装置１は、シアンインクとマゼンタインクとでジアゾ風印刷が可能なＣＭ２色機に変更されている。ジアゾ風印刷は、シアンインクとマゼンタインクとでジアゾ色による印刷を行うものである。ジアゾ色は、ジアゾ式複写機による青焼きの色を再現する色である。
【００３３】
上面搬送部４は、ベルト搬送部３１により搬送されてきた用紙Ｐを右方向から左方向へとＵターンするように搬送する。上面搬送部４は、複数対の上面搬送ローラ４１を備える。
【００３４】
上面搬送ローラ４１は、搬送経路に沿って用紙Ｐを搬送する。最下流の一対の上面搬送ローラ４１は、反転経路ＲＲの上流部に配置されている。他の上面搬送ローラ４１は、ベルト搬送部３１と排紙部５との間の通常経路ＲＣに沿って配置されている。上面搬送ローラ４１は、図示しないモータにより駆動される。
【００３５】
排紙部５は、印刷済みの用紙Ｐを排紙する。排紙部５は、切替部４６と、排紙ローラ４７と、排紙台４８とを備える。
【００３６】
切替部４６は、用紙Ｐの搬送経路を排紙経路ＲＤと反転経路ＲＲとの間で切り替える。切替部４６は、排紙経路ＲＤと反転経路ＲＲとの分岐地点に配置されている。切替部４６は、図示しないソレノイドにより駆動される。
【００３７】
排紙ローラ４７は、切替部４６によって排紙経路ＲＤへと導かれた用紙Ｐを搬送して排紙台４８へ排紙する。排紙ローラ４７は、排紙経路ＲＤに沿って、切替部４６と排紙台４８との間に配置されている。排紙ローラ４７は、図示しないモータにより駆動される。
【００３８】
排紙台４８は、排紙ローラ４７により排紙された印刷済みの用紙Ｐが積載されるものである。排紙台４８は、筐体１１から突出したトレイ形状を有し、傾斜して設置されている。
【００３９】
反転部６は、両面印刷の際に、片面印刷済みの用紙Ｐを反転させてレジストローラ２６へ搬送する。反転部６は、反転ローラ５１と、スイッチバック部５２と、再給紙ローラ５３と、切替ゲート５４とを備える。
【００４０】
反転ローラ５１は、上面搬送部４の上面搬送ローラ４１により搬送されてきた用紙Ｐをスイッチバック部５２に一時的に搬入した後に搬出して、再給紙ローラ５３へ搬送する。反転ローラ５１は、最下流の上面搬送ローラ４１とスイッチバック部５２の搬入口との間の反転経路ＲＲ上に配置されている。反転ローラ５１は、図示しないモータにより駆動される。
【００４１】
スイッチバック部５２は、反転ローラ５１が用紙Ｐを一時的に搬入するための空間である。スイッチバック部５２は、排紙台４８の下部に形成されている。スイッチバック部５２は、反転ローラ５１の近傍が用紙Ｐを搬入するために開口されている。
【００４２】
再給紙ローラ５３は、反転ローラ５１により搬送されてきた用紙Ｐをレジストローラ２６へ搬送する。再給紙ローラ５３は、反転ローラ５１とレジストローラ２６との間の反転経路ＲＲ上に配置されている。再給紙ローラ５３は、図示しないモータにより駆動される。
【００４３】
切替ゲート５４は、上面搬送ローラ４１により搬送されてきた用紙Ｐを反転ローラ５１へとガイドする。また、切替ゲート５４は、反転ローラ５１によりスイッチバック部５２から搬出される用紙Ｐを再給紙ローラ５３へとガイドする。切替ゲート５４は、最下流の上面搬送ローラ４１、反転ローラ５１、および再給紙ローラ５３の３個所の重心近傍に配置されている。
【００４４】
画像読取部７は、原稿台、受光素子、光源、レンズ、走査機構、自動原稿送り装置（いずれも図示せず）等を備え、原稿の画像を光学的に読み取り、ＲＧＢ形式の画像データを生成する。
【００４５】
記憶部８は、ＨＤＤ（Hard Disk Drive）等からなる。記憶部８は、各種のプログラムを記憶している。
【００４６】
また、記憶部８は、ＫＲ用のカラープロファイルを記憶している。ＫＲ用のカラープロファイルは、ＲＧＢ形式の印刷対象の画像データにおける各画素のＲＧＢの値を、ブラック、レッドの値に変換する際の対応関係を示すものである。
【００４７】
記憶部８がＫＲ用のカラープロファイルを記憶しているのは、前述のように、インクジェット印刷装置１がＫＲ２色機として製造されたものだからである。インクジェット印刷装置１では、ブラックをシアン、レッドをマゼンタにそれぞれ置き換えることで、ＫＲ用のカラープロファイルを、シアン、マゼンタの２色での印刷に流用する。
【００４８】
また、記憶部８は、デフォルトのガンマ補正テーブルと、ジアゾ色付け用のガンマ補正テーブルとを記憶している。ガンマ補正テーブルは、後述のガンマ補正部９２によるガンマ補正の際に用いられるものである。ジアゾ色付け用のガンマ補正テーブルは、モノクロ画像データに基づきジアゾ風印刷を行う場合に用いられる。それ以外の場合では、デフォルトのガンマ補正テーブルが用いられる。
【００４９】
デフォルトのガンマ補正テーブルは、図４に示す入出力特性を保持するものである。図４に示すように、デフォルトのガンマ補正テーブルは、入力値と出力値とが同じになるテーブルである。すなわち、デフォルトのガンマ補正テーブルは、画像データの濃度を変化させないものである。
【００５０】
ジアゾ色付け用のガンマ補正テーブルは、図５に示すＲ（レッド）、Ｇ（グリーン）、Ｂ（ブルー）の色ごとの入出力特性を保持するものである。このようなジアゾ色付け用のガンマ補正テーブルを用いたガンマ補正により、図６に示すＬ＊ａ＊ｂ＊表色系のａ＊ｂ＊平面の中心の点Ａで表される無彩色が、ブルーの色域の点Ｂで表されるジアゾ色となる。すなわち、ジアゾ色付け用のガンマ補正テーブルにより、モノクロ画像データにおける無彩色をジアゾ色に色付けすることができる。
【００５１】
操作パネル部９は、各種の入力画面等を表示するとともに、ユーザによる入力操作を受け付ける。操作パネル部９は、表示部６１と、入力部６２とを備える。
【００５２】
表示部６１は、各種の入力画面等の画像を表示する。表示部６１は、液晶表示パネル等を有する。
【００５３】
入力部６２は、ユーザによる入力操作を受け付け、操作に応じた操作信号を出力する。入力部６２は、各種の操作キー、タッチパネル等を有する。
【００５４】
制御部１０は、インクジェット印刷装置１における制御的な処理を行う。制御部１０は、ＣＰＵ、ＲＡＭ、ＲＯＭ等を備えて構成される。制御部１０は、搬送制御部７１と、画像読取制御部７２と、画像処理部（請求項の画像処理装置に相当）７３と、印刷制御部７４と、表示制御部７５とを備える。制御部１０の各部は、ＣＰＵが記憶部８に格納されたプログラムにしたがって動作すること等により構成される。
【００５５】
搬送制御部７１は、給紙部２、ベルト搬送部３１、上面搬送部４、排紙部５、反転部６による用紙Ｐの搬送を制御する。
【００５６】
画像読取制御部７２は、画像読取部７を制御して原稿の画像を読み取らせる。
【００５７】
画像処理部７３は、画像読取部７から入力される印刷対象の画像データに基づき、インクジェットヘッド３６による印刷に用いられる形式の印刷画像データであるドロップデータを生成する。ドロップデータは、各画素に吐出する各色のインクのドロップ数を示すデータである。図３に示すように、画像処理部７３は、判定部８１と、印刷画像データ生成部８２とを備える。
【００５８】
判定部８１は、ジアゾ風印刷設定による印刷時において、印刷対象の画像データがジアゾ画像データおよびモノクロ画像データのいずれであるかを判定する。
【００５９】
ここで、インクジェット印刷装置１では、ジアゾ風印刷設定によりジアゾ風印刷が可能である。ユーザが入力部６２を操作することによりジアゾ風印刷設定とすることができる。ジアゾ風印刷設定においてコピーされる原稿は、ジアゾ原稿またはモノクロ原稿である。ジアゾ原稿には、ジアゾ式複写機による青焼きの原稿、およびインクジェット印刷装置１でのジアゾ風印刷による印刷物である原稿が含まれる。
【００６０】
ジアゾ画像データは、上述のジアゾ原稿が画像読取部７で読み取られて生成された画像データである。ジアゾ画像データは、文字、イラスト等の画像部分がジアゾ色で、下地部分も薄いジアゾ色になっている画像データである。モノクロ画像データは、モノクロ原稿が画像読取部７で読み取られて生成された画像データである。
【００６１】
ジアゾ風印刷設定ではなく通常印刷設定の場合、判定部８１は、印刷対象の画像データに対する判定は行わず、その画像データを後述のガンマ補正部９２に出力する。
【００６２】
印刷画像データ生成部８２は、印刷対象の画像データに基づきドロップデータを生成する。印刷画像データ生成部８２は、下地カット部９１と、ガンマ補正部９２と、ジアゾ下地付与部９３と、色変換処理部９４と、スクリーニング処理部９５とを備える。
【００６３】
下地カット部９１は、ジアゾ風印刷における印刷対象の画像データがモノクロ画像データである場合に、下地カット処理を行う。
【００６４】
ガンマ補正部９２は、画像データに対してガンマ補正を行う。ジアゾ風印刷設定において、印刷対象の画像データがモノクロ画像データである場合、ガンマ補正部９２は、下地カット処理後のモノクロ画像データにおける文字、イラスト等の画像部分（下地部分以外）に対して、ジアゾ色付け用のガンマ補正を行う。ジアゾ色付け用のガンマ補正は、図５に示したジアゾ色付け用のガンマ補正テーブルに基づくガンマ補正である。
【００６５】
ジアゾ風印刷設定において、印刷対象の画像データがジアゾ画像データである場合、ガンマ補正部９２は、ジアゾ画像データに対して、デフォルトのガンマ補正を行う。デフォルトのガンマ補正は、図４に示したデフォルトのガンマ補正テーブルに基づくガンマ補正である。
【００６６】
また、ジアゾ風印刷設定ではなく通常印刷設定の場合、ガンマ補正部９２は、印刷対象の画像データに対して、デフォルトのガンマ補正を行う。
【００６７】
ジアゾ下地付与部９３は、ジアゾ風印刷設定において、印刷対象の画像データがモノクロ画像データであり、給紙部２にジアゾ風用紙がなく、指定下地色がジアゾ色の場合、ガンマ補正後の画像データにジアゾ色の下地を付与する。指定下地色は、印刷対象の画像データがモノクロ画像データであって、給紙部２にジアゾ風用紙がなく白地用紙が印刷に使用される場合に、画像データに付与するジアゾ風の下地の色として指定される色である。
【００６８】
ここで、ジアゾ風印刷設定において、印刷対象の画像データがモノクロ画像データである場合、給紙部２にジアゾ風用紙が保持されていれば、ジアゾ風用紙が印刷に使用される。給紙部２にジアゾ風用紙がなければ、白地用紙が印刷に使用される。前述のように、白地用紙は給紙部２に保持されている。
【００６９】
ジアゾ風印刷設定において、印刷対象の画像データがモノクロ画像データであって、白地用紙が印刷に使用される場合、ジアゾ風の下地が付与される。ジアゾ風の下地としては、ジアゾ色の下地およびシアン単色の下地のいずれかを指定可能である。ユーザの入力部６２に対する操作により、ジアゾ風の下地の指定下地色として、ジアゾ色の下地およびシアン単色の下地のいずれかが指定される。
【００７０】
色変換処理部９４は、ＲＧＢ形式の画像データを、シアン、マゼンタの２色による色表現形式（ＣＭ形式）の画像データに変換する色変換処理を行う。色変換処理部９４は、記憶部８に記憶されているＫＲ用のカラープロファイルを、ブラックをシアン、レッドをマゼンタにそれぞれ置き換えて使用することで、ＲＧＢ形式の画像データをＣＭ形式に変換する。ジアゾ風印刷設定において、印刷対象の画像データがモノクロ画像データであり、給紙部２にジアゾ風用紙がなく、指定下地色がシアン単色の場合は、色変換処理部９４は、下地部分については、シアンの値（濃度）を所定値とし、マゼンタの値（濃度）をゼロとする。
【００７１】
スクリーニング処理部９５は、色変換処理後の画像データにスクリーニング処理を施し、ドロップデータを生成する。スクリーニング処理は、誤差拡散処理や網点処理などを行う処理である。
【００７２】
印刷制御部７４は、印刷部３２を制御して用紙Ｐに印刷させる。具体的には、印刷制御部７４は、画像処理部７３で生成されたドロップデータに基づき、インクジェットヘッド３６Ａ，３６Ｂを駆動させてインクを吐出させる。
【００７３】
表示制御部７５は、表示部６１を制御して画像を表示させる。
【００７４】
次に、インクジェット印刷装置１におけるジアゾ風印刷処理について説明する。
【００７５】
図７、図８は、ジアゾ風印刷処理のフローチャートである。図７、図８のフローチャートの処理は、ジアゾ風印刷設定時において、ユーザにより原稿が画像読取部７にセットされ、入力部６２に対する操作によりジアゾ風印刷の実行が指示されたことにより開始となる。ここで、前述のように、ジアゾ風印刷設定においてコピーされる原稿は、ジアゾ原稿またはモノクロ原稿である。
【００７６】
図７のステップＳ１において、画像読取制御部７２は、画像読取部７に原稿の画像を読み取らせる。画像読取部７は、読み取った原稿の画像データを生成する。この画像データは、ＲＧＢの各色８ビット（２５６階調）の画像データである。原稿がジアゾ原稿である場合はジアゾ画像データが生成され、原稿がモノクロ原稿である場合はモノクロ画像データが生成される。
【００７７】
次いで、ステップＳ２において、判定部８１は、画像読取部７で生成された印刷対象の画像データが、ジアゾ画像データおよびモノクロ画像データのいずれであるかを判定する。
【００７８】
具体的には、判定部８１は、画像データにおける各画素について、ＲＧＢ値から色相を求め、その色相に基づき、各画素が所定色域に含まれるか否かを判断する。所定色域は、ジアゾ色の色域として設定された色域である。判定部８１は、所定色域に含まれる画素数をカウントする。そして、判定部８１は、そのカウント値が閾値以上の場合、印刷対象の画像データがジアゾ画像データであると判定し、カウント値が閾値未満の場合、印刷対象の画像データがモノクロ画像データであると判定する。
【００７９】
次いで、ステップＳ３において、判定部８１は、ステップＳ２における判定の結果に基づき、印刷対象の画像データがジアゾ画像データであるか否かを判断する。
【００８０】
印刷対象の画像データがジアゾ画像データであると判断した場合（ステップＳ３：ＹＥＳ）、ステップＳ４において、判定部８１は、印刷対象の画像データをガンマ補正部９２に出力し、デフォルトのガンマ補正を行わせる。ガンマ補正部９２は、ガンマ補正後の画像データを色変換処理部９４に出力する。
【００８１】
次いで、ステップＳ５において、色変換処理部９４は、ガンマ補正後の画像データをＲＧＢ形式からＣＭ形式に変換する色変換処理を行う。
【００８２】
次いで、ステップＳ６において、スクリーニング処理部９５は、色変換処理後の画像データにスクリーニング処理を施し、ドロップデータを生成する。
【００８３】
次いで、ステップＳ７において、搬送制御部７１および印刷制御部７４は、白地用紙への印刷を実行する。
【００８４】
具体的には、搬送制御部７１は、外部給紙台２１および複数の内部給紙台２３のうち白地用紙がセットされている給紙台から用紙Ｐを給紙部２に給紙させ、給紙された用紙Ｐをベルト搬送部３１により搬送させる。印刷制御部７４は、ドロップデータに基づきインクジェットヘッド３６Ａ，３６Ｂを駆動させて、ベルト搬送部３１により搬送される用紙Ｐに印刷させる。
【００８５】
印刷された用紙Ｐは、ベルト搬送部３１から上面搬送部４へ搬送され、上面搬送部４において上面搬送ローラ４１により搬送される。そして、用紙Ｐは、排紙部５の切替部４６により通常経路ＲＣから排紙経路ＲＤへ導かれ、排紙ローラ４７により排紙台４８へ排紙される。
【００８６】
ステップＳ３において、印刷対象の画像データがモノクロ画像データであると判断した場合（ステップＳ３：ＮＯ）、ステップＳ８において、判定部８１は、給紙部２にジアゾ風用紙が保持されているか否かを判断する。
【００８７】
給紙部２にジアゾ風用紙が保持されていると判断した場合（ステップＳ８：ＹＥＳ）、ステップＳ９において、判定部８１は、印刷対象の画像データを下地カット部９１に出力し、下地カット処理を行わせる。
【００８８】
ここで、印刷対象の画像データがモノクロ画像データである場合、下地部分は白である。しかし、画像読取部７でモノクロ原稿を読み取って生成したモノクロ画像データにおいては、下地部分は白でもその濃度は必ずしもゼロではない。これに対し、下地カット部９１が、印刷対象の画像データに対して下地カット処理を行う。具体的には、下地カット部９１は、画像データにおけるＲＧＢの各値（濃度）が閾値以下の画素において、ＲＧＢの各値をゼロとする。
【００８９】
次いで、ステップＳ１０において、ガンマ補正部９２は、下地カット処理後の画像データの画像部分（下地部分以外）に対して、ジアゾ色付け用のガンマ補正を行う。ガンマ補正部９２は、ガンマ補正後の画像データを色変換処理部９４に出力する。
【００９０】
次いで、ステップＳ１１において、色変換処理部９４は、ガンマ補正後の画像データをＲＧＢ形式からＣＭ形式に変換する色変換処理を行う。
【００９１】
次いで、ステップＳ１２において、スクリーニング処理部９５は、色変換処理後の画像データにスクリーニング処理を施し、ドロップデータを生成する。
【００９２】
次いで、ステップＳ１３において、搬送制御部７１および印刷制御部７４は、ジアゾ風用紙への印刷を実行する。
【００９３】
具体的には、搬送制御部７１は、外部給紙台２１および複数の内部給紙台２３のうちジアゾ風用紙がセットされている給紙台から用紙Ｐを給紙部２に給紙させ、給紙された用紙Ｐをベルト搬送部３１により搬送させる。印刷制御部７４は、ドロップデータに基づきインクジェットヘッド３６Ａ，３６Ｂを駆動させて、ベルト搬送部３１により搬送される用紙Ｐに印刷させる。
【００９４】
ステップＳ８において、給紙部２にジアゾ風用紙が保持されていないと判断した場合（ステップＳ８：ＮＯ）、図８のステップＳ１４において、判定部８１は、指定下地色がジアゾ色であるか否かを判断する。
【００９５】
指定下地色がジアゾ色であると判断した場合（ステップＳ１４：ＹＥＳ）、ステップＳ１５において、判定部８１は、印刷対象の画像データを下地カット部９１に出力し、下地カット処理を行わせる。
【００９６】
次いで、ステップＳ１６において、ガンマ補正部９２は、下地カット処理後の画像データの画像部分（下地部分以外）に対して、ジアゾ色付け用のガンマ補正を行う。
【００９７】
次いで、ステップＳ１７において、ジアゾ下地付与部９３は、ガンマ補正後の画像データにジアゾ色の下地を付与する。具体的には、ジアゾ下地付与部９３は、画像データにおける下地部分の画素に対してジアゾ色に対応するＲＧＢ値を設定する。
【００９８】
次いで、ステップＳ１８において、色変換処理部９４は、ジアゾ色の下地を付与後の画像データをＲＧＢ形式からＣＭ形式に変換する色変換処理を行う。
【００９９】
次いで、ステップＳ１９において、スクリーニング処理部９５は、色変換処理後の画像データにスクリーニング処理を施し、ドロップデータを生成する。
【０１００】
次いで、ステップＳ２０において、搬送制御部７１および印刷制御部７４は、白地用紙への印刷を実行する。
【０１０１】
ステップＳ１４において、指定下地色がシアン単色であると判断した場合（ステップＳ１４：ＮＯ）、ステップＳ２１において、判定部８１は、印刷対象の画像データを下地カット部９１に出力し、下地カット処理を行わせる。
【０１０２】
次いで、ステップＳ２２において、ガンマ補正部９２は、下地カット処理後の画像データの画像部分（下地部分以外）に対して、ジアゾ色付け用のガンマ補正を行う。
【０１０３】
次いで、ステップＳ２３において、色変換処理部９４は、シアン単色の下地を付与する色変換処理を行う。具体的には、色変換処理部９４は、画像部分については、ＲＧＢ形式からＣＭ形式に変換する色変換処理を行う。下地部分については、色変換処理部９４は、各画素のシアンの値（濃度）を所定値とし、マゼンタの値（濃度）をゼロとする。
【０１０４】
次いで、ステップＳ２４において、スクリーニング処理部９５は、色変換処理後の画像データにスクリーニング処理を施し、ドロップデータを生成する。
【０１０５】
次いで、ステップＳ２５において、搬送制御部７１および印刷制御部７４は、白地用紙への印刷を実行する。
【０１０６】
上述のようなジアゾ風印刷処理により、印刷対象の画像データがジアゾ画像データである場合、印刷画像データ生成部８２は、ジアゾ画像データに基づき白地用紙にジアゾ風印刷を行うためのドロップデータを生成する（ステップＳ４〜Ｓ６）。そして、白地用紙に対して、このドロップデータに基づく印刷が実行される（ステップＳ７）。これにより、ジアゾ原稿が白地用紙にコピーされることで、ジアゾ風の印刷物が得られる。
【０１０７】
また、印刷対象の画像データがモノクロ画像データであって、給紙部２がジアゾ風用紙を保持している場合、印刷画像データ生成部８２は、モノクロ画像データにおける画像部分をジアゾ色に変更したドロップデータを生成する（ステップＳ９〜Ｓ１２）。そして、ジアゾ風用紙に対して、このドロップデータに基づく印刷が実行される（ステップＳ１３）。これにより、モノクロ原稿の画像部分がジアゾ色に変更され、下地部分がジアゾ風用紙の地色で表現されたジアゾ風の印刷物が得られる。
【０１０８】
また、印刷対象の画像データがモノクロ画像データであって、給紙部２がジアゾ風用紙を保持していない場合、印刷画像データ生成部８２は、モノクロ画像データにおける画像部分をジアゾ色に変更するとともにジアゾ風の下地を付与したドロップデータを生成する（ステップＳ１５〜Ｓ１９，Ｓ２１〜Ｓ２４）。そして、白地用紙に対して、このドロップデータに基づく印刷が実行される（ステップＳ２０，Ｓ２５）。これにより、ジアゾ色に変更されたモノクロ原稿の画像部分とジアゾ風の下地が白地用紙に印刷されることで、ジアゾ風の印刷物が得られる。
【０１０９】
以上説明したように、インクジェット印刷装置１では、ジアゾ風印刷の印刷対象の画像データがモノクロ画像データであって、給紙部２がジアゾ風用紙を保持している場合、印刷画像データ生成部８２は、モノクロ画像データにおける画像部分をジアゾ色に変更したドロップデータを生成する。そして、このドロップデータに基づき、ジアゾ風用紙に印刷される。また、ジアゾ風印刷の印刷対象の画像データがモノクロ画像データであって、給紙部２がジアゾ風用紙を保持していない場合、印刷画像データ生成部８２は、モノクロ画像データにおける画像部分をジアゾ色に変更するとともにジアゾ風の下地を付与したドロップデータを生成する。そして、このドロップデータに基づき、白地用紙に印刷される。
【０１１０】
これにより、ジアゾ風印刷の印刷対象の画像データがモノクロ画像データの場合において、インクジェット印刷装置１にジアゾ風用紙がない場合でも、自動的に白地用紙にジアゾ風印刷することが可能になるため、必ずしもジアゾ風用紙を準備しなくてもよい。したがって、インクジェット印刷装置１によれば、ジアゾ風印刷を行う際のユーザの手間を軽減し、利便性を向上できる。
【０１１１】
また、ジアゾ風印刷の印刷対象の画像データがモノクロ画像データであって、給紙部２がジアゾ風用紙を保持していない場合において、指定下地色がシアン単色の場合、印刷画像データ生成部８２は、ジアゾ風の下地の印刷にシアンインクのみを用いるドロップデータを生成する。これにより、下地の印刷にマゼンタインクを使用しないことで、インク消費量を抑制できる。
【０１１２】
なお、上記実施の形態では、ジアゾ風印刷として、コピー機能により印刷する場合について説明したが、外部のパーソナルコンピュータ（ＰＣ）から入力される印刷データに基づいてプリンタ機能により印刷する場合にも本発明は適用できる。この場合、ＰＤＬ（Page Description Language）形式の印刷データに基づき生成されるビットマップ形式の画像データが、印刷対象の画像データとなる。
【０１１３】
また、上記実施の形態における画像処理部７３の処理と同様の処理を、ＰＣのプリンタドライバにより行ってもよい。
【０１１４】
上記実施の形態では、シアン、マゼンタの２色のインクを印刷に用いるインクジェット印刷装置１で説明したが、インク色の数および組み合わせはこれに限らない。また、インク以外の色材を用いる印刷装置にも本発明は適用可能である。
【０１１５】
本発明は上記実施の形態そのままに限定されるものではなく、実施段階ではその要旨を逸脱しない範囲で構成要素を変形して具体化できる。また、上記実施の形態に開示されている複数の構成要素の適宜な組み合わせにより、種々の発明を形成できる。例えば、実施の形態に示される全構成要素から幾つかの構成要素を削除してもよい。
【符号の説明】
【０１１６】
１  インクジェット印刷装置
２  給紙部
３  搬送印刷部
４  上面搬送部
５  排紙部  
６  反転部
７  画像読取部
８  記憶部
９  操作パネル部
１０  制御部
３６，３６Ａ，３６Ｂ  インクジェットヘッド
７１  搬送制御部
７２  画像読取制御部
７３  画像処理部
７４  印刷制御部
８１  判定部
８２  印刷画像データ生成部
９１  下地カット部
９２  ガンマ補正部
９３  ジアゾ下地付与部
９４  色変換処理部
９５  スクリーニング処理部
【図１】
2015226307.tif 000003
【図２】
2015226307.tif 000004
【図３】
2015226307.tif 000005
【図４】
2015226307.tif 000006
【図５】
2015226307.tif 000007
【図６】
2015226307.tif 000008
【図７】
2015226307.tif 000009
【図８】
2015226307.tif 000010